(57)【要約】【課題】クラックが発生した躯体に対し、クラックの周囲部分まで含めて強固に一体化し、クラックの再発生を防止することが可能なクラック補修工法およびこれに用いられるピンの提供。【解決手段】躯体１の表面１Ａから躯体１の内部においてクラック２と交差する穿孔穴３を形成し、穿孔穴３に対して接着剤５を注入し、接着剤５を注入した穿孔穴３内に、クラック２と交差して穿孔穴３の前後の躯体１を連結するためのピン６を挿入する。これにより、クラック２と交差する穿孔穴３に対して注入された接着剤５が、穿孔穴３内だけでなく、穿孔穴３を介してクラック２内にも浸透し、接着剤５が硬化することによってクラック２内が補修されるとともに、接着剤５が注入された穿孔穴３内に挿入されたピン６がクラック２と交差して穿孔穴３の前後の躯体１を連結した状態となり、クラック２の周囲部分まで含めて強固に一体化される。【選択図】図７
2019039218.tif 000002
【特許請求の範囲】
【請求項１】
躯体に発生したクラックを補修するクラック補修工法であって、
前記躯体の表面から前記躯体の内部において前記クラックと交差する穿孔穴を形成すること、
前記穿孔穴に対して接着剤を注入すること、
前記接着剤を注入した前記穿孔穴内に、前記クラックと交差して前記穿孔穴の前後の躯体を連結するためのピンを挿入すること
を含むクラック補修工法。
【請求項２】
前記穿孔穴は前記躯体の表面に対して斜め方向に形成することを特徴とする請求項１記載のクラック補修工法。
【請求項３】
前記穿孔穴の形成は、穿孔ドリルのビットの角度を前記躯体の表面に対して所定の角度に設定する治具を用いて行うことを特徴とする請求項１または２に記載のクラック補修工法。
【請求項４】
前記穿孔穴は前記躯体の厚み方向の中心部で前記クラックと交差するように形成することを特徴とする請求項１から３のいずれか１項に記載のクラック補修工法。
【請求項５】
前記ピンは、表面に凹凸を有するものである請求項１から４のいずれか１項に記載のクラック補修工法。
【請求項６】
躯体に発生したクラックを補修するに際し、前記躯体の表面から前記躯体の内部において前記クラックと交差する穿孔穴を形成し、前記穿孔穴に対して接着剤を注入し、前記接着剤を注入した前記穿孔穴内に、前記クラックと交差して前記穿孔穴の前後の躯体を連結するために挿入されるピンであって、
表面に凹凸を有するピン。
【請求項７】
躯体に発生したクラックを補修するに際し、前記躯体の表面から前記躯体の内部において前記クラックと交差する穿孔穴を形成し、前記穿孔穴に対して接着剤を注入し、前記接着剤を注入した前記穿孔穴内に、前記クラックと交差して前記穿孔穴の前後の躯体を連結するために挿入されるピンであって、
前記穿孔穴に挿入された際に前記躯体の表面側となる端部に拡径部を有するピン。
【発明の詳細な説明】
【技術分野】
【０００１】
本発明は、建物のコンクリート躯体や、コンクリート躯体の表面に貼着されたタイル等に発生したクラックを補修するクラック補修工法およびこれに用いられるピンに関する。
【背景技術】
【０００２】
建物の外壁にクラック（ひび割れ）が発生した場合の補修として、Ｕカット工法や液体樹脂をクラックの表面に塗布する方法等があるが、いずれもクラックの表面を補修するものであり、クラック内部までは補修することができない。そこで、クラック内部まで補修可能にするものとして、例えば特許文献１〜３に記載の工法が開発されている。
【０００３】
特許文献１には、処理空間（クラック）に通じるようにして処理対象物（コンクリート構造物）に斜めに連絡通路を形成し、処理対象物の表面側において硬化性材料の供給系と吸引系とを処理空間にそれぞれ接続し、吸引系を介して吸引により供給系の硬化性材料を処理対象物の処理空間内に進入させ、これを硬化させる工法が開示されている。
【０００４】
特許文献２には、一端にテーパー厚部と他端に外ねじを有する芯材パイプ、一端に大外径部を有するカラーを直列に装着するとともに、芯材パイプの他端に内側に芯材パイプの他端の外ねじに対応する内ねじを有するナットを螺合させてなる座金を躯体に生じたクラックに対して、躯体表面から斜めに形成した穿孔穴に芯材パイプの一端より挿入し、ナットに連接したインジェクターの接着剤溜めチューブの圧力の持続変化によりクラックに注入する方法が開示されている。
【０００５】
特許文献３には、建設構造物の表面のクラックが形成された位置と異なる位置から、例えば４５度程度の角度をもって建設構造物内部のクラックへ貫通するように穿設した貫通孔に、液圧ポンプおよび液送ホースを介して供給される充填薬液を注入器から注入することによりクラック面を補修するものであり、注入装置は、さらに、エアーを噴射させるエアコンプレッサおよび気送ホースを有し、これにより充填薬液が、エアーを噴射しながら、このエアーに誘導されるようにして注入されるエアー誘導薬液注入方法が開示されている。
【先行技術文献】
【特許文献】
【０００６】
【特許文献１】特開２００７−２７７８０９号公報
【特許文献２】特開２０００−２９１２６６号公報
【特許文献３】特開平１１−５０６６９号公報
【発明の概要】
【発明が解決しようとする課題】
【０００７】
上記特許文献１〜３に記載の方法は、いずれもクラックに対して斜め方向に穿孔した穴により樹脂等をクラック内へ隙間無く充填するものである。そのため、補修後の構造物は、樹脂等が充填されたクラック部分の強度は高くなるものの、この樹脂等が充填されたクラックの周囲部分は補修前の構造物のままの状態であり、再びこの樹脂等が充填されたクラックの周囲部分にクラックが発生することになる。
【０００８】
そこで、本発明においては、クラックが発生した躯体に対し、クラックの周囲部分まで含めて強固に一体化し、クラックの再発生を防止することが可能なクラック補修工法およびこれに用いられるピンを提供することを目的とする。
【課題を解決するための手段】
【０００９】
本発明のクラック補修工法は、躯体に発生したクラックを補修するクラック補修工法であって、躯体の表面から躯体の内部においてクラックと交差する穿孔穴を形成すること、穿孔穴に対して接着剤を注入すること、接着剤を注入した穿孔穴内に、クラックと交差して穿孔穴の前後の躯体を連結するためのピンを挿入することを含むことを特徴とする。
【００１０】
本発明のクラック補修工法によれば、クラックと交差する穿孔穴に対して注入された接着剤が、穿孔穴内だけでなく、穿孔穴を介してクラック内にも浸透し、接着剤が硬化することによってクラック内が補修されるとともに、接着剤が注入された穿孔穴内に挿入されたピンがクラックと交差して穿孔穴の前後の躯体を連結した状態となり、クラックの周囲部分まで含めて強固に一体化される。
【００１１】
なお、穿孔穴はクラックと交差するように形成すれば良いが、一般にクラックは躯体の厚み方向に入るため、穿孔穴は躯体の表面に対して斜め方向に形成することが望ましい。このとき、穿孔穴の形成は、穿孔ドリルのビットの角度を躯体の表面に対して所定の角度に設定する治具を用いて行うことで、容易に行うことが可能となる。
【００１２】
また、穿孔穴は躯体の厚み方向の中心部でクラックと交差するように形成することが望ましい。これにより、穿孔穴に注入された接着剤がクラックの躯体の厚み方向の中心部からクラック内に注入されることになり、クラック全体に接着剤を浸透させることが可能となる。
【００１３】
さらに、穿孔穴は躯体の表面のクラックに沿ってクラックを挟んで互い違いとなる位置から形成することが望ましい。これにより、クラックを挟んで互い違いとなる方向に挿入されたピンが、躯体の断面からみて交差した状態でクラックの周囲を固定するため、クラックの周囲部分がより強固に一体化される。
【００１４】
また、接着剤の注入は、穿孔穴に対して注入した接着剤がクラックを通じて躯体の表面に出てくるまで行うことが望ましい。これにより、穿孔穴に対して注入した接着剤がクラックの全体に浸透したことが確認できる。
【００１５】
また、ピンは、表面に凹凸を有するものであることが望ましい。ピンの表面に凹凸を有することで、接着剤との付着力が増し、ピンの抜けを防止することが可能となる。
【００１６】
また、ピンは、穿孔穴に挿入された際に躯体の表面側となる端部に拡径部を有するものであることが望ましい。これにより、穿孔穴に挿入されたピンの拡径部が、穿孔穴の蓋の役割を果たし、穿孔穴内の接着剤が躯体の表面に露出しないようにすることができる。また、コンクリート躯体の表面に貼着されたタイル表面から穿孔穴を形成してピンを挿入する場合には、このピンの拡径部がタイルの落下を防止するストッパーとして機能する。
【００１７】
さらに、このピンの拡径部の躯体の裏面側はテーパー状であることが望ましい。これにより、ピンの拡径部のテーパー状の部分が穿孔穴の入口に密着して、穿孔穴を密閉することが可能となる。
【００１８】
また、ピンは、穿孔穴が躯体の表面に対して斜め方向に形成されたものである場合に躯体の表面側となる端面が躯体の表面に対して平行となるように斜めに形成されたものであることが望ましい。これにより、穿孔穴に対してピンを挿入すると、ピンの端面が躯体の表面に対して平行となり、躯体の表面と面を合わせることが可能となる。
【発明の効果】
【００１９】
（１）躯体の表面から躯体の内部においてクラックと交差する穿孔穴を形成し、穿孔穴に対して接着剤を注入し、接着剤を注入した穿孔穴内に、クラックと交差して穿孔穴の前後の躯体を連結するためのピンを挿入する構成により、接着剤によりクラック内が補修されるとともに、ピンによりクラックの周囲部分まで含めて強固に一体化され、クラックの再発生を防止することが可能となる。
【００２０】
（２）穿孔穴の形成は、穿孔ドリルのビットの角度を躯体の表面に対して所定の角度に設定する治具を用いて行うことで、躯体の表面に対して穿孔穴を所定の角度で斜め方向に形成することが容易となり、工期を短縮することが可能となる。
【００２１】
（３）穿孔穴を躯体の厚み方向の中心部でクラックと交差するように形成することにより、接着剤をクラック全体に容易に浸透させることが可能となる。
【００２２】
（４）穿孔穴を躯体の表面のクラックに沿ってクラックを挟んで互い違いとなる位置から形成することにより、クラックを挟んで互い違いとなる方向に挿入されたピンが、躯体の断面からみて交差した状態でクラックの周囲を固定するため、クラックの周囲部分がより強固に一体化され、さらにクラックの再発生を防止することが可能となる。
【００２３】
（５）接着剤の注入を、穿孔穴に対して注入した接着剤がクラックを通じて躯体の表面に出てくるまで行うことにより、穿孔穴に対して注入した接着剤がクラックの全体に浸透したことが容易に確認できるようになる。
【００２４】
（６）ピンが表面に凹凸を有するものであることにより、ピンと接着剤との付着力が増し、ピンの抜けを防止することが可能となる。
【００２５】
（７）ピンが穿孔穴に挿入された際に躯体の表面側となる端部に拡径部を有するものであることにより、穿孔穴内の接着剤が躯体の表面に露出しないようにすることができるとともに、躯体の表面に貼着されたタイル表面から穿孔穴を形成してピンを挿入する場合には、このピンの拡径部がタイルの落下を防止することができる。
【００２６】
（８）ピンの拡径部の躯体の裏面側がテーパー状であることにより、ピンの拡径部のテーパー状の部分が穿孔穴の入口に密着して、穿孔穴を密閉することが可能となる。
【００２７】
（９）ピンは、穿孔穴が躯体の表面に対して斜め方向に形成されたものである場合に躯体の表面側となる端面が躯体の表面に対して平行となるように斜めに形成されたものであることにより、穿孔穴に対してピンを挿入すると、ピンの端面が躯体の表面に対して平行となり、躯体の表面と面を合わせることが可能となり、施工後に別途面合わせの処理を行う必要がなくなる。
【図面の簡単な説明】
【００２８】
【図１】本発明の実施の形態におけるクラック補修工法のフロー図である。
【図２】穿孔穴の形成工程を示す断面図である。
【図３】穿孔穴の穿孔位置を示す平面図である。
【図４】接着剤の注入工程を示す断面図である。
【図５】接着剤の注入工程の詳細を示す断面図であって、（Ａ）は接着剤の注入途中の状態を示す図、（Ｂ）は接着剤の注入完了状態を示す図である。
【図６】ピンの挿入工程を示す断面図である。
【図７】施工完了状態を示す断面図である。
【図８】ピンの実施例を示す側面図である。
【図９】拡径部を有するピンの実施例を示す側面図である。
【図１０】図９（Ａ）のピンを穿孔穴に挿入した状態を示す断面図である。
【図１１】図９（Ｃ）のピンを穿孔穴に挿入した状態を示す断面図である。
【図１２】躯体の表面のタイル面から穿孔穴を形成してピンを挿入した状態を示す断面図である。
【図１３】穿孔穴の形成ピッチについての説明図である。
【発明を実施するための形態】
【００２９】
図１は本発明の実施の形態におけるクラック補修工法のフロー図である。以下、図１のフロー図に沿って本発明の実施の形態におけるクラック補修工法について説明する。
【００３０】
（Ｓ１）穿孔穴の形成
まず、図２に示すように、クラック２が発生した躯体１の表面１Ａから躯体１の内部１Ｂにおいてクラック２と交差する穿孔穴３を形成する。穿孔穴３の形成は、より詳しくは、以下の手順による。
【００３１】
（Ｓ１−１）手持ち式の穿孔ドリル（図示せず。）の先端部分に傾斜穿孔用アタッチメント１０を取り付ける。傾斜穿孔用アタッチメント１０は、穿孔ドリルのビット（刃）の角度θを躯体１の表面１Ａに対して所定の角度（本実施形態においては６０°または４５°）に設定する治具である。
【００３２】
（Ｓ１−２）躯体１の厚みＴを調べ、表１および表２に示すような穿孔ドリル位置一覧表から最適な穿孔深度と穿孔位置を出す。例えば、躯体１の厚みＴ（躯体厚）が１５０ｍｍの場合、穿孔角度６０°、進行深度１３０ｍｍ、穿孔位置はクラック２から４５ｍｍ離した場所となる。この条件で穿孔すると、穿孔穴３が躯体１の厚み方向の中心部でクラック２と交差する。
【００３３】
【表１】
2019039218.tif 000003
【００３４】
【表２】
2019039218.tif 000004
【００３５】
（Ｓ１−３）穿孔準備ができたら、傾斜穿孔用アタッチメント１０を躯体１に当て、穿孔を開始する。
（Ｓ１−４）予定穿孔深度に達したら、穿孔ドリルを停止し、ゆっくりと引き抜く。
（Ｓ１−５）穿孔ドリルが空冷式ドリルの場合はエアーダスターで穿孔穴３の中をエアーで吹き飛ばす。湿式ドリルの場合は冷却水を乾燥させる。
（Ｓ１−６）穿孔穴３の入口部分を面取りする。
（Ｓ１−７）穿孔作業終了。
【００３６】
なお、穿孔穴３の穿孔位置は、図３に示すように、躯体１の表面１Ａのクラック２に沿ってクラック２を挟んで互い違いとなる位置とするのが良い。但し、狭い場所や角部分のクラック２は片側のみ穿孔を行う。また、ピッチは躯体の厚みＴによって表１および表２のように設定する。この穿孔穴３の形成ピッチについては後述する。
【００３７】
（Ｓ２）接着剤の注入
次に、図４に示すように、注入器４を用いて穿孔穴３に接着剤５（図５参照。）を注入する。具体的には、注入器４の先端のノズル４Ａを穿孔穴３に差し込み、接着剤５が漏れないように注入器４を押さえ付け、穿孔穴３内にゆっくりと接着剤５を注入していく。このとき、接着剤５の注入は、穿孔穴３に対して注入した接着剤５がクラック２を通じて躯体１の表面１Ａに出てくるまで行う。
【００３８】
接着剤５の注入は、より詳しくは、以下の手順による。
（Ｓ２−１）注入器４で少しずつ圧力をかけていくと、図５（Ａ）に示すように、クラック２に接着剤５が浸透していく。
（Ｓ２−２）そのまま圧力をかけ、接着剤５を入れていくと、図５（Ｂ）に示すように、クラック２の表面２Ａから接着剤５が出てくる。
（Ｓ２−３）接着剤５が表面２Ａまで出てきたら接着剤５の注入を止める。
（Ｓ２−４）ゆっくりと注入器４を外して接着剤５の注入完了。
【００３９】
なお、接着剤５は、クラック２の幅が０．３ｍｍ超の広い場合は粘度が高い１２０〜２３０Ｐａ・ｓのもの、より好ましくは１７０Ｐａ・ｓ以上のものを使用することが望ましい。クラック２の幅が０．３ｍｍを超えた場合、粘度が低いとクラック２の中で接着剤５がだれてしまい、クラック２内に綺麗に回らなくなる可能性がある。一方、クラック２の幅が０．３ｍｍ以内の狭い場合は粘度が低い１２０Ｐａ・ｓ未満のものであっても使用することが可能であり、粘度の影響なくクラック２内に接着剤５が綺麗に回る。
【００４０】
（Ｓ３）ピンの挿入
次に、図６に示すように、接着剤５を注入した穿孔穴３内にピン６を挿入する。ピン６は、接着剤５の注入後、すぐに挿入する。ピン６の挿入後、穿孔穴３付近についた接着剤５を綺麗に拭き取る。この状態で接着剤５が硬化すると、図７に示すように、ピン６がクラック２と交差して穿孔穴３の前後の躯体１を連結した状態となり、施工完了となる。
【００４１】
次に、ピン６について詳細に説明する。ピン６としては、図８（Ａ）に示す丸棒状のピン６Ａの他、表面に凹凸を有するものとして図８（Ｂ）に示す全ネジ状のピン６Ｂや図８（Ｃ）に示す部分的に凹凸を有する棒状のピン６Ｃを使用することが可能である。表面に凹凸を有するピン６Ｂ，６Ｃでは、接着剤５との付着力が増すため、表面に凹凸のないピン６Ａより好ましい。特に、ピン６Ｃのように表面の凹凸の向きが互い違いに異なる方向とすることで、接着剤５が効果した後はピン６Ｃを引っ張っても抜けてしまうことがない。また、ピン６の素材としては、主にステンレス、チタンや炭素繊維等の錆に強く、引張強度が高いものを使用することが望ましい。
【００４２】
また、ピン６は、穿孔穴３に挿入された際に躯体１の表面１Ａ側となる端部に、図９（Ａ）〜（Ｃ）に示すようにそれぞれの軸部よりも径を拡大した拡径部７Ａ，７Ｂ−１，７Ｂ−２，７Ｃを有する構成とすることが望ましい。この拡径部７Ａ〜７Ｃにより、穿孔穴３の入口部分を塞ぎ、穿孔穴３内の接着剤５が躯体１の表面１Ａに露出しないようにすることができる。
【００４３】
さらに、拡径部７Ａ〜７Ｃの躯体１の裏面１Ｃ側は、それぞれテーパー状とすることが望ましい。この拡径部７Ａ〜７Ｃのテーパー状の部分は、前述のように面取りした穿孔穴３の入口部分に密着して、穿孔穴３を密閉する。
【００４４】
図１０は図９（Ａ）の拡径部７Ａを有するピン６Ｃを穿孔穴３に挿入した状態を示す断面図である。図１０に示すように、拡径部７Ａを有するピン６Ｃを穿孔穴３に挿入する場合、拡径部７Ａの端面が躯体１の表面１Ａに対して斜めとなっているため、挿入後にパテ埋め仕上げを行う。
【００４５】
また、図９（Ｂ）に示す拡径部７Ｂ−１，７Ｂ−２は、それぞれ全ネジ状のピン６Ｂに対し、ねじ込むことにより脱着可能としたものである。これにより、必要に応じて全ネジ状のピン６Ｂに拡径部７Ｂ−１，７Ｂ−２を装着して対応することが可能となる。
【００４６】
また、図９（Ｂ）に示す拡径部７Ｂ−２および図９（Ｃ）に示す拡径部７Ｃは、躯体１の表面１Ａ側となる端面が躯体１の表面１Ａに対して平行となるように斜めに形成されたものである。図１１は図９（Ｃ）に示す拡径部７Ｃを有するピン６Ｃを穿孔穴３に挿入した状態を示す断面図である。図１１に示すように、このピン６Ｃを穿孔穴３に挿入すると、ピン６Ｃの端面が躯体１の表面１Ａに対して平行となり、躯体１の表面１Ａと面を合わせることが可能となり、施工後に別途面合わせの処理を行う必要がなくなる。
【００４７】
図１２は躯体の表面のタイル面から穿孔穴を形成してピンを挿入した状態を示す断面図である。図１２に示すように、躯体１の表面１Ａに貼着されたタイル８表面から穿孔穴３を形成してピン６Ｃを挿入する場合には、このピン６Ｃの拡径部７Ｃがタイル８の落下を防止することができ、タイル面の浮きや剥がれ等を防止することが可能となる。
【００４８】
次に、穿孔穴３の形成ピッチについて、図１３を参照して説明する。図１３は躯体１の内部でどのように接着剤５が浸透していくかを示している。本実施形態におけるクラック補修工法では、穿孔穴３が躯体１の厚み方向の中心部でクラック２と交差するように形成されるため、接着剤５はクラック２の中心部分から円を描くようにして浸透していく。そして、しばらく注入すると躯体１の表面１Ａから接着剤５が出てくるが、この状態では躯体１の裏面１Ｃからも接着剤５が出てくることになる。このとき、接着剤５同士が繋がるようなピッチで穿孔穴３を形成することで、クラック２内部で接着剤５同士が繋がり、躯体１内部の酸化防止効果、防水効果や強度などを高めることができる。
【産業上の利用可能性】
【００４９】
本発明は、建物のコンクリート躯体や、コンクリート躯体の表面に貼着されたタイル等に発生したクラックを補修するクラック補修工法およびこれに用いられるピンとして有用であり、特に、クラックが発生した躯体に対し、クラックの周囲部分まで含めて強固に一体化し、クラックの再発生を防止することが可能なクラック補修工法およびこれに用いられるピンとして好適である。
【符号の説明】
【００５０】
１  躯体
２  クラック
３  穿孔穴
４  注入器
５  接着剤
６，６Ａ，６Ｂ，６Ｃ  ピン
７Ａ，７Ｂ，７Ｂ−１，７Ｂ−２，７Ｃ  拡径部
１０  傾斜穿孔用アタッチメント
【図１】
2019039218.tif 000005
【図２】
2019039218.tif 000006
【図３】
2019039218.tif 000007
【図４】
2019039218.tif 000008
【図５】
2019039218.tif 000009
【図６】
2019039218.tif 000010
【図７】
2019039218.tif 000011
【図８】
2019039218.tif 000012
【図９】
2019039218.tif 000013
【図１０】
2019039218.tif 000014
【図１１】
2019039218.tif 000015
【図１２】
2019039218.tif 000016
【図１３】
2019039218.tif 000017